(57)【要約】【課題】システム構築に要するコストを抑えつつ、既存の医用テレメータシステムで使用されていた周波数帯とは異なる周波数帯の生体情報信号に対応可能な医用テレメータシステムを提供することを目的とする。【解決手段】医用テレメータシステム１は、第１周波数帯の生体情報信号を無線送信するように構成された第１送信機２ａ，２ｂと、第２周波数帯の患者情報信号を無線送信するように構成された第２送信機３と、生体情報信号を受信するように構成された第１アンテナ３ａ〜３ｄと、患者情報信号を受信するように構成された第２アンテナ４と、患者情報信号の周波数帯を前記第２周波数帯から第３周波数帯に変換するように構成された周波数コンバータ５と、第１周波数帯の信号を通過させる第１ＢＰＦ８と、第３周波数帯の信号を通過させる第２ＢＰＦ１４と、生体情報信号及び／又は患者情報信号を受信するように構成された受信機１３と、を備える。【選択図】図１
2020156852.tif 000002
【特許請求の範囲】
【請求項１】
第１周波数帯の生体情報信号を無線送信するように構成された第１送信機と、
前記第１周波数帯とは異なる第２周波数帯の患者情報信号を無線送信するように構成された第２送信機と、
前記生体情報信号を受信するように構成された第１アンテナと、
前記患者情報信号を受信するように構成された第２アンテナと、
前記第２アンテナから出力された前記患者情報信号の周波数帯を前記第２周波数帯から前記第２周波数帯とは異なる第３周波数帯に変換するように構成された第１周波数コンバータと、
前記第１周波数コンバータ及び前記第１アンテナに接続された混合器と、
前記混合器に接続された分配器と、
前記分配器に接続されると共に、前記第１周波数帯の信号を通過させるように構成された第１バンドパスフィルタと、
前記第１バンドパスフィルタを通過した前記生体情報信号を増幅させるように構成された増幅器と、
前記分配器に接続されると共に、前記第３周波数帯の信号を通過させるように構成された第２バンドパスフィルタと、
前記増幅器及び前記第２バンドパスフィルタに接続されると共に、前記生体情報信号及び／又は前記患者情報信号を受信するように構成された受信機と、
を備えた、医用テレメータシステム。
【請求項２】
前記患者情報信号は、患者の生体情報および患者の姿勢及び／又は位置に関連する情報のうちの少なくとも１つを含む、請求項１に記載の医用テレメータシステム。
【請求項３】
前記受信機は、前記生体情報信号に関連付けられたデータおよび前記患者情報信号に関連付けられたデータのうちの少なくとも１つを視覚的に表示するように構成された生体情報モニタであって、
前記生体情報モニタは、外部の通信ネットワークに通信可能に接続されている、
請求項１又は２に記載の医用テレメータシステム。
【請求項４】
外部の通信ネットワークに接続されると共に、前記患者情報信号の周波数帯を前記第３周波数帯から有線ＬＡＮ又は無線ＬＡＮ通信に適した周波数帯に変換するように構成された第２周波数コンバータをさらに備える、請求項１又は２に記載の医用テレメータシステム。
【請求項５】
前記受信機は、前記第３周波数帯の所定の信号を前記第１周波数コンバータ及び前記第２アンテナを介して前記第２送信機に送信するように構成され、
前記第１周波数コンバータは、前記受信機から送信された所定の信号の周波数帯を前記第３周波数帯から前記第２周波数帯に変換するようにさらに構成され、
前記第２アンテナは、前記第１周波数コンバータから出力された前記所定の信号を無線送信するように構成され、
前記第２送信機は、前記所定の信号を無線受信するように構成されている、
請求項１から４のうちいずれか一項に記載の医用テレメータシステム。
【請求項６】
前記第１周波数帯は、４２０ＭＨｚから４５０ＭＨｚの範囲内であって、
前記第２周波数帯は、２４００ＭＨｚから２４８０ＭＨｚの範囲内であって、
前記第３周波数帯は、２ＭＨｚから３０ＭＨｚの範囲内である、
請求項１から５のうちいずれか一項に記載の医用テレメータシステム。
【請求項７】
前記第１バンドパスフィルタは、４２０ＭＨｚから４５０ＭＨｚの周波数帯の信号のみを通過させるように構成され、
前記第２バンドパスフィルタは、２ＭＨｚから３０ＭＨｚの周波数帯の信号のみを通過させるように構成されている、
請求項６に記載の医用テレメータシステム。
【発明の詳細な説明】
【技術分野】
【０００１】
本開示は、医用テレメータシステムに関する。
【背景技術】
【０００２】
病院内において各患者の状態をモニタするための医用テレメータシステムが従来から活用されている。医用テレメータシステムでは、患者によって携帯された送信機（医用テレメータ）は、患者の生体情報信号を取得した上で、当該生体情報信号を所定の周波数帯（好適には、４２０ＭＨｚ〜４５０ＭＨｚの範囲内）で無線送信する。患者の付近に存在するアンテナが当該生体情報信号を受信した上で、当該生体情報信号を同軸ケーブル（好適には同軸漏洩ケーブル）及び混合器を介して受信機（好適には、生体情報モニタ）に送信する。このように、医用テレメータシステムを用いることで生体情報モニタ（セントラルモニタともいう。）から離れた場所に存在する各患者の生体情報データを生体情報モニタに集めることができ、医療従事者は、生体情報モニタに表示された各患者の生体情報データを見ることで、各患者の現在の健康状態をリアルタイムに把握することができる（例えば、特許文献１を参照）。
【先行技術文献】
【特許文献】
【０００３】
【特許文献１】特開２０１７−１４３９１７号公報
【発明の概要】
【発明が解決しようとする課題】
【０００４】
ところで、既存の医用テレメータシステムでは、生体情報信号の搬送波の周波数帯である４２０ＭＨｚ〜４５０ＭＨｚの範囲内において、各患者に割り当てられるチャンネル数は最大で４８０ｃｈに制限されている。換言すれば、既存の医用テレメータシステムでは、生体情報モニタ上で監視可能な患者の総数は４８０人に制限されてしまう。このため、外来患者及び入院患者の総数が１０００人を超えることもある大規模の病院では、既存の医用テレメータシステムでは全ての患者の健康状態を生体情報モニタ上でリアルタイムに監視することができない。
【０００５】
また、近年の第４次産業革命の進展に伴い、全ての生体情報センサが通信ネットワークに接続される医療版ＩｏＴ（Ｉｎｔｅｒｎｅｔ  ｏｆ  Ｔｈｉｎｇｓ）システムが益々注目を集めている。特に、脈波センサ等の各生体情報センサにＢｌｕｅｔｏｏｔｈ（登録商標）等の無線通信規格に対応する無線通信モジュールを設けることで、各生体情報センサから取得された生体情報信号を生体情報モニタに集約させることが想定されている。一方で、Ｂｌｕｅｔｏｏｔｈ等の近距離の無線通信では、各生体情報センサからの生体情報信号を生体情報モニタに集約させるためのシステムを新たに構築する必要があるため、システム構築のために多額のコストが必要となる。
【０００６】
このように、無線通信モジュールを内蔵した生体情報センサからの生体情報信号を生体情報モニタに集約させるための新たなシステムを構築する際に、割り当てチャンネル数に制限がある既存の医用テレメータを有効活用するといった点で検討の余地がある。
【０００７】
本開示は、システム構築に要するコストを抑えつつ、既存の医用テレメータシステムで使用されていた周波数帯とは異なる周波数帯の生体情報信号に対応可能な医用テレメータシステムを提供することを目的とする。
【課題を解決するための手段】
【０００８】
本開示の一態様に係る医用テレメータシステムは、
第１周波数帯の生体情報信号を無線送信するように構成された第１送信機と、
前記第１周波数帯とは異なる第２周波数帯の患者情報信号を無線送信するように構成された第２送信機と、
前記生体情報信号を受信するように構成された第１アンテナと、
前記患者情報信号を受信するように構成された第２アンテナと、
前記第２アンテナから出力された前記患者情報信号の周波数帯を前記第２周波数帯から前記第２周波数帯とは異なる第３周波数帯に変換するように構成された第１周波数コンバータと、
前記第１周波数コンバータ及び前記第１アンテナに接続された混合器と、
前記混合器に接続された分配器と、
前記分配器に接続されると共に、前記第１周波数帯の信号を通過させるように構成された第１バンドパスフィルタと、
前記第１バンドパスフィルタを通過した前記生体情報信号を増幅させるように構成された増幅器と、
前記分配器に接続されると共に、前記第３周波数帯の信号を通過させるように構成された第２バンドパスフィルタと、
前記増幅器及び前記第２バンドパスフィルタに接続されると共に、前記生体情報信号及び／又は前記患者情報信号を受信するように構成された受信機と、
を備える。
【発明の効果】
【０００９】
本開示によれば、システム構築に要するコストを抑えつつ、既存の医用テレメータシステムで使用されていた周波数帯とは異なる周波数帯の生体情報信号に対応可能な医用テレメータシステムを提供することができる。
【図面の簡単な説明】
【００１０】
【図１】本発明の実施形態（以下、本実施形態という。）に係る医用テレメータシステムを示す図である。
【図２】第２送信機の構成の一例を示す図である。
【図３】変形例に係る医用テレメータシステムを示す図である。
【発明を実施するための形態】
【００１１】
以下、本発明の実施形態（以下、本実施形態という。）について図面を参照しながら説明する。尚、本明細書中において用いられる文言「接続」とは、必ずしも「物理的な接続」に限定されるものではない。例えば、「ＡとＢとの間の接続」とは、「電気的、光学的、磁気的又は物理的なＡとＢとの間の接続」を意味してもよい。
【００１２】
図１を参照して本実施形態に係る医用テレメータシステム１について説明する。図１は、医用テレメータシステム１を示す図である。医用テレメータシステム１は、病院内において各患者の状態をモニタリングするためのシステムである。本実施形態に係る医用テレメータシステム１は、第１送信機２ａ，２ｂと、第２送信機３と、第１アンテナ３ａ〜３ｄと、第２アンテナ４とを備える。さらに、医用テレメータシステム１は、周波数コンバータ５（第１周波数コンバータの一例）と、混合器６と、分配器７と、第１バンドパスフィルタ（以下、第１ＢＰＦ）８と、増幅器９とを備える。さらに、医用テレメータシステム１は、第２バンドパスフィルタ（以下、第２ＢＰＦ）１４と、混合器１１と、電源１２と、受信機１３とを備える。
【００１３】
第１送信機２ａ，２ｂの各々は、例えば、患者に携帯された医用テレメータ（例えば、ベットサイドモニタ）である。第１送信機２ａ，２ｂの各々は、患者の生体情報を示す生体情報信号を取得した上で、当該生体情報信号を第１周波数帯で無線送信するように構成されている。第１送信機２ａ，２ｂの各々は、メモリとプロセッサからなる制御部と、生体情報を表示する表示部と、入力インターフェースと、無線通信インターフェースと、生体情報センサに接続されるセンサインターフェースとを備える。
【００１４】
患者の生体情報とは、例えば、患者の心電図、脈波、血圧、体温、呼吸、心拍数等である。第１周波数帯は、好適には、４２０ＭＨｚから４５０ＭＨｚの範囲内である。具体的には、第１送信機２ａ，２ｂの各々は、周波数が４２０ＭＨｚから４５０ＭＨｚの範囲内の搬送波（キャリア）をデジタル変調することで生体情報信号を無線送信することができる。
【００１５】
第１送信機２ａと第１送信機２ｂにはそれぞれ異なるチャンネル（搬送周波数）が割り当てられている。このため、第１送信機２ａから放射された生体情報信号（電波）と第１送信機２ｂから放射された生体情報信号（電波）は、互いに干渉しない。
【００１６】
例えば、チャンネル幅が１２．５ＫＨｚである場合には、４２０ＭＨｚから４５０ＭＨｚの範囲内において第１送信機に割り当て可能なチャンネル数は最大で４８０となる。この場合、本実施形態の医用テレメータシステム１では、最大で４８０個の第１送信機を運用することができる。また、以降では、説明の便宜上、第１送信機２ａ，２ｂを単に第１送信機２という場合がある。
【００１７】
第１アンテナ３ａは、第１送信機２ａから無線送信された生体情報信号（電波）を受信するように構成されている。第１アンテナ３ａによって受信された生体情報信号は、同軸ケーブル（好適には、同軸漏洩ケーブル）を介して混合器６に送信される。本実施形態では、第１送信機２ａは、第１アンテナ３ａの電波受信可能範囲内に配置されている。
【００１８】
同様に、第１アンテナ３ｂは、第１送信機２ｂから無線送信された生体情報信号（電波）を受信するように構成されている。第１アンテナ３ｂによって受信された生体情報信号は、同軸ケーブル（好適には、同軸漏洩ケーブル）を介して混合器６に送信される。本実施形態では、第１送信機２ｂは、第１アンテナ３ｂの電波受信可能範囲内に配置されている。以降では、説明の便宜上、第１送信機２ａ，２ｂから送信された生体情報信号を区別せずに単に生体情報信号という場合がある。
【００１９】
第２送信機３は、例えば、患者に装着された生体情報センシングデバイスである。第２送信機３は、患者に関連した情報である患者情報を示す患者情報信号を取得した上で、当該患者情報信号を第１周波数帯とは異なる第２周波数帯で無線送信するように構成されている。患者情報信号に示される患者情報は、患者の生体情報と、患者の姿勢及び／又は位置に関連する情報のうちの少なくとも一つを含む。患者の生体情報とは、患者の心電図、脈波、血圧、体温、呼吸、心拍数等である。患者の生体情報が脈波やＳｐＯ２である場合、第２送信機３は、無線通信機能を備えたＳｐＯ２センサであってもよい。患者の姿勢及び／又は位置に関連する情報は、例えば、患者の姿勢、転倒、歩行の有無、活動量、睡眠状態、発汗量、患者位置、患者の周囲環境温度照度、患者ＩＤ、患者の身体的な情報(身長、体重等)、その他、患者呼び出し信号またはイベント信号等のうちの少なくとも一つを含んでもよい。
【００２０】
第２送信機３が採用する無線通信規格がＢｌｕｅｔｏｏｔｈ（登録商標）である場合、第２周波数帯は、２．４ＧＨｚ帯（正確には、２４００ＭＨｚから２４８０ＭＨｚの範囲内）である。一方、第２送信機３が採用する無線通信規格がＷｉ−Ｆｉ（登録商標）である場合、第２周波数帯は、５ＧＨｚ帯であってもよい。第２送信機３は、周波数が２４００ＭＨｚから２４８０ＭＨｚの範囲内の搬送波（キャリア）をデジタル変調することで患者情報信号を無線送信することができる。
【００２１】
図２を参照して、第２送信機３の構成について以下に説明する。図２は、第２送信機３の構成の一例を示す図である。図２に示すように、第２送信機３は、制御部３０と、記憶装置３１と、ＧＰＳ３２と、傾きセンサ３３とを備える。さらに、第２送信機３は、センサインターフェース３４と、センサインターフェース３４に接続された生体情報センサ３５と、ネットワークインターフェース３６と、入力操作部３７と、表示部３８とを備える。第２送信機３を構成するこれらの構成要素は、バス３９を介して互いに通信可能に接続されている。
【００２２】
制御部３０は、ＣＰＵ、ＧＰＵ、ＭＰＵ等のプロセッサと、ＲＯＭ、ＲＡＭ等のメモリとを含む。プロセッサは、記憶装置３１又はＲＯＭに組み込まれた各種プログラムから指定されたプログラムをＲＡＭ上に展開し、ＲＡＭとの協働で各種処理を実行するように構成されてもよい。
【００２３】
ＧＰＳ３２は、第２送信機３の現在位置情報を取得するように構成されている。第２送信機３は、ＧＰＳ３２によって取得された現在位置情報に基づいて、第２送信機３を装着した患者Ｋの位置に関連する情報を取得することができる。傾きセンサ３３は、第２送信機３の傾きを検出するように構成されており、例えば、加速度センサや角速度センサである。第２送信機３は、傾きセンサ３３によって取得された情報に基づいて、第２送信機３を装着した患者Ｋの姿勢に関連する情報を取得することができる。
【００２４】
センサインターフェース３４は、患者Ｋの生体情報データを取得するように構成された生体情報センサ３５に通信可能に接続されている。ネットワークインターフェース３６は、第２送信機３の無線通信機能を実現するように構成されており、送受信アンテナと、無線通信用の電子回路とを備える。入力操作部３７は、患者Ｋや医療従事者の入力操作を受け付けるように構成されており、例えば、タッチパネル、操作ボタン等である。表示部３８は、患者Ｋの生体情報を表示するように構成されており、液晶ディスプレイ又は有機ＥＬディスプレイである。
【００２５】
図１に戻ると、第２アンテナ４は、第２送信機３から無線送信された患者情報信号（電波）を受信するように構成された受信アンテナと、後述する受信機１３から送信された所定の信号（高周波信号）を電波として空中に放射するように構成された送信アンテナとを有する。第２アンテナ４によって受信された患者情報信号は、同軸ケーブルを介して周波数コンバータ５（第１周波数コンバータの一例）に送信される。
【００２６】
周波数コンバータ５は、同軸ケーブルを通じて患者情報信号を第２アンテナ４から受信した上で、当該受信した患者情報信号の搬送波を第２周波数帯（２４００ＭＨｚから２４８０ＭＨｚの範囲内）から第３周波数帯に変換するように構成されている。第３周波数帯は、例えば、２ＭＨｚから３０ＭＨｚの範囲内である。また、後述するように、周波数コンバータ５は、所定の信号の搬送波の周波数帯を第３周波数帯（２ＭＨｚ〜３０ＭＨｚ）から第２周波数帯（２４００ＭＨｚ〜２４８０ＭＨｚ）に変換するように構成されている。このように、周波数コンバータ５を用いることで、Ｂｌｕｅｔｏｏｔｈ規格に対応した２．４ＧＨｚ帯の高周波信号を医用テレメータシステム中に伝送することができる。さらに、受信機１３から出力された高周波信号（２ＭＨｚ〜３０ＭＨｚ）を第２アンテナ４を介して第２送信機３に向けて無線送信することができる。
【００２７】
混合器６は、周波数コンバータ５及び第１アンテナ３ａ〜３ｄに同軸ケーブルを介して接続されている。混合器６は、周波数コンバータ５から出力された第３周波数帯の患者情報信号及び第１アンテナ３ａ、３ｂから出力された第１周波数帯の生体情報信号を一つの同軸ケーブル（伝送路）にまとめて出力する。この点において、混合器６と分配器７は一つの同軸ケーブル（伝送路）で互いに接続されているため、混合器６は、一つの同軸ケーブルを介して患者情報信号及び生体情報信号を分配器７に送信する。本実施形態に係る医用テレメータシステム１で使用される混合器及び分配器は、電気／光変換器（Ｅ／Ｏ変換器）及びＯ／Ｅ変換器を有してもよい。
【００２８】
分配器７は、同軸ケーブルを介して混合器６と接続されており、混合器６から生体情報信号及び患者情報信号を受信する。分配器７は、混合器６から送信された生体情報信号及び患者情報信号を２つの伝送路（同軸ケーブル）に分配するように構成されている。
【００２９】
第１ＢＰＦ８は、同軸ケーブルを介して分配器７に接続されていると共に、第１周波数帯（４２０ＭＨｚ〜４５０ＭＨｚ）の信号を少なくとも通過させるように構成されている。特に、第１ＢＰＦ８は、第１周波数帯の信号のみを通過させるように構成されてもよい。この場合、第１ＢＰＦ８は、第１周波数帯の生体情報信号のみを通過させる一方で、第３周波数帯の患者情報信号を遮断することができる。
【００３０】
増幅器９は、第１ＢＰＦ８に接続されていると共に、第１ＢＰＦ８を通過した生体情報信号を増幅させるように構成されている。第２ＢＰＦ１４は、同軸ケーブルを介して分配器７に接続されていると共に、第３周波数帯（２ＭＨｚ〜３０ＭＨｚ）の信号を少なくとも通過させるように構成されている。特に、第２ＢＰＦ１４は、第３周波数帯の信号のみを通過させるように構成されてもよい。この場合、第２ＢＰＦ１４は、第３周波数帯の患者情報信号のみを通過させる一方で、第１周波数帯の生体情報信号を遮断することができる。
【００３１】
混合器１１は、増幅器９及び第２ＢＰＦ１４に同軸ケーブルを介して接続されている。混合器１１は、増幅器９から出力された増幅後の生体情報信号及び第２ＢＰＦ１４から出力された患者情報信号を一つの同軸ケーブル（伝送路）にまとめて出力する。混合器１１は、生体情報信号及び患者情報信号を電源１２を介して受信機１３に送信する。電源１２は、商用電源（ＡＣ電源）に電気的に接続されている。電源１２は、商用電源から供給されたＡＣ電圧をＤＣ電圧に変換した上で、変換されたＤＣ電圧を増幅器９に供給するように構成されている。
【００３２】
受信機１３は、生体情報モニタ（特に、セントラルモニタ）である。受信機１３は、メモリとプロセッサからなる制御部と、記憶装置と、生体情報信号に関連付けられたデータ及び患者情報信号に関連付けられたデータのうちの少なくとも一つを表示するように構成された表示部と、入力インターフェースと、入力操作部と、ネットワークインターフェースと、医用テレメータシステム用インターフェースを備える。受信機１３は、医用テレメータシステム用インターフェースを通じて生体情報信号及び／又は患者情報信号を受信する。その後、受信機１３は、受信した生体情報信号及び／又は患者情報信号を復調した上で、当該生体情報信号に関連付けられたデータ及び患者情報信号に関連付けられたデータのうちの少なくとも一つを視覚的に表示するように構成されている。例えば、受信機１３は、生体情報信号に含まれる生体情報データに基づいて、生体情報波形（例えば、心電図波形や脈波等）に表示画面上に表示することができる。さらに、受信機１３は、患者情報信号に含まれる生体情報データに基づいて生体情報波形を表示画面上に表示することができる。また、受信機１３は、患者情報信号に含まれる患者の位置や姿勢に関する情報を表示画面上に表示することができる。
【００３３】
また、受信機１３の記憶装置には、第１送信機２に割り当てられたチャンネル番号と第１送信機２によって放射される生体情報信号の搬送波周波数との間の関係を示すチャンネル番号識別テーブルが保存されてもよい。例えば、当該チャンネル番号識別テーブルでは、第１送信機２ａに割り当てられたチャンネル番号と第１送信機２ａの搬送波周波数との間の関係および第１送信機２ｂに割り当てられたチャンネル番号と第１送信機２ｂの搬送波周波数との間の関係が示されてもよい。このように、受信機１３は、チャンネル番号識別テーブルを参照することで、生体情報信号の搬送波周波数に対応するチャンネル番号を特定することができる。
【００３４】
また、受信機１３のネットワークインターフェースは、通信ネットワーク１６を介してサーバ等の外部装置と通信するための各種有線接続端子（例えば、ＬＡＮケーブル接続端子）を含んでもよい。また、ネットワークインターフェースは、アクセスポイントと無線通信するための各種処理回路及び送受信アンテナ等を含んでもよい。このように、受信機１３は、外部の通信ネットワーク１６に通信可能に接続されている。通信ネットワーク１６は、ＬＡＮ、ＷＡＮ及びインターネットのうちの少なくとも一つを含む。
【００３５】
このように、受信機１３が外部の通信ネットワーク１６に通信可能に接続されているため、生体情報信号及び患者情報信号を通信ネットワーク１６上のクラウドサーバ等に送信することができる。
【００３６】
本実施形態に係る医用テレメータシステム１によれば、既存の医用テレメータシステムにおいて、第２アンテナ４と、患者情報信号の周波数帯を第２周波数帯から第３周波数帯に変換するように構成された周波数コンバータ５と、第３周波数帯の信号を通過させるように構成された第２ＢＰＦ１４とが新たに設けられている。このように、既存の医用テレメータシステに、第２アンテナ４、周波数コンバータ５及び第２ＢＰＦ１４を更に設けることで、受信機１３は、第１送信機２ａ，２ｂから送信された生体情報信号だけでなく第２送信機３から送信された患者情報信号を受信することができる。このため、既存の医用テレメータシステムを有効活用することで、比較的低コストに第２周波数帯（２．４ＧＨｚ帯）の患者情報信号を受信機１３に送信可能な医用テレメータシステム１を構築することが可能となる。したがって、医用テレメータシステム１の構築に要するコストを抑えつつ、従来の医用テレメータシステムで使用されていた第１周波数帯とは異なる第２周波数帯の患者情報信号に対応可能な医用テレメータシステム１を提供することができる。
【００３７】
また、受信機１３は、第３周波数帯（２ＭＨｚ〜３０ＭＨｚ）の所定の信号を周波数コンバータ５及び第２アンテナ４を介して第２送信機３に送信するように構成されている。この場合、周波数コンバータ５は、受信機１３から送信された所定の信号の周波数帯を第３周波数帯から第２周波数帯（２．４ＧＨｚ帯）に変更する。次に、第２アンテナ４の送信アンテナは、周波数コンバータ５から出力された所定の信号を空中に放射する。その後、第２送信機３のネットワークインターフェース３６は、周波数コンバータ５から放射された所定の信号（電波）を受信する。尚、第２送信機３から受信機１３に送信される患者情報信号と受信機１３から第２送信機３に送信される所定の信号とが互いに干渉しないように、受信機１３は、患者情報信号及び所定の信号の送信タイミングを調整してもよい。
【００３８】
このように、本実施形態によれば、既存の医用テレメータシステムを有効活用することで、比較的低コストに第２周波数帯の患者情報信号を送受信することができる新たな医用テレメータシステム１を提供することができる。
【００３９】
尚、本実施形態では、受信機１３は、混合器１１から生体情報信号及び患者情報信号を同時に受信した上で、当該受信した生体情報信号及び患者情報信号に関連するデータを表示部に同時に視覚的に表示してもよい。また、受信機１３は、混合器１１から生体情報信号又は患者情報信号のいずれか一方を受信した上で、当該受信した生体情報信号又は患者情報信号に関連するデータを表示部に視覚的に表示してもよい。
【００４０】
（変形例）
次に、図３を参照して変形例に係る医用テレメータシステム１０について以下に説明する。図３は、変形例に係る医用テレメータシステム１０を示す図である。図３に示すように、医用テレメータシステム１０は、分配器１８と周波数コンバータ１９（第２周波数コンバータの一例）が設けられている点で本実施形態に係る医用テレメータシステム１とは大きく異なる。
【００４１】
分配器１８は、同軸ケーブルを介して電源１２、受信機１３及び周波数コンバータ１９に接続されており、混合器１１から生体情報信号及び患者情報信号をそれぞれ受信する。分配器１８は、生体情報信号及び患者情報信号を２つの伝送路（同軸ケーブル）に分配するように構成されている。
【００４２】
周波数コンバータ１９は、外部の通信ネットワーク１６に接続されていると共に、分配器１８から送信された患者情報信号の周波数帯を第３周波数帯（２ＭＨｚ〜３０ＭＨｚ）から有線ＬＡＮ又は無線ＬＡＮ通信に適した周波数帯に変換するように構成されている。このように、周波数コンバータ１９から出力された信号の搬送波周波数は、有線ＬＡＮ又は無線ＬＡＮに適した搬送波周波数に変換されているため、周波数コンバータ１９によって同軸ケーブル中を伝送する患者情報信号を通信ネットワーク１６上のクラウドサーバ等に送信することができる。尚、周波数コンバータ１９と分配器１８との間に第２ＢＰＦ１４がさらに設けられてもよい。この場合、第３周波数帯の患者情報信号のみが周波数コンバータ１９に入力される。
【００４３】
以上、本発明の実施形態について説明をしたが、本発明の技術的範囲が本実施形態の説明によって限定的に解釈されるべきではない。本実施形態は一例であって、特許請求の範囲に記載された発明の範囲内において、様々な実施形態の変更が可能であることが当業者によって理解されるところである。本発明の技術的範囲は特許請求の範囲に記載された発明の範囲及びその均等の範囲に基づいて定められるべきである。
【符号の説明】
【００４４】
１，１０：医用テレメータシステム
２，２ａ，２ｂ：第１送信機
３：第２送信機
３ａ，３ｂ，３ｃ，３ｄ：第１アンテナ
４：第２アンテナ
５：周波数コンバータ
６：混合器
７：分配器
８：第１バンドパスフィルタ（第１ＢＰＦ）
９：増幅器
１１：混合器
１２：電源
１３：受信機
１４：第２バンドパスフィルタ（第２ＢＰＦ）
１６：通信ネットワーク
１８：分配器
１９：周波数コンバータ
３０：制御部
３１：記憶装置
３３：傾きセンサ
３４：センサインターフェース
３５：生体情報センサ
３６：ネットワークインターフェース
３７：入力操作部
３８：表示部
【図１】
2020156852.tif 000003
【図２】
2020156852.tif 000004
【図３】
2020156852.tif 000005